(57)【要約】      （修正有）【課題】スプールが水に濡れたり、潤滑油が付着した場合にも滑りが少なく釣り糸を確実に巻き上げることができると共に、モータの耐久性に優れ、しかも比重が軽く水中に落としても沈まず水面に浮くことができる電動リール付き釣り竿を提供する。【解決手段】把持部１の先端に穂先２の取付部を形成すると共に、把持部１の先端側にスプール３を設け、このスプール３の後方に電動モータ４と電池７を設け、前記スプール３のフランジ側面に、前記電動モータ４の出力軸２７の周面が摺接してスプール３を回転させる電動リール付き釣り竿において、前記電動モータ４の出力軸２７が摺接するスプール３のフランジ側面を粗面化加工面２６としたものである。【選択図】図２
0003142158.tif 000002
【実用新案登録請求の範囲】
【請求項１】
把持部の先端に穂先の取付部を形成すると共に、把持部の先端側にスプールを設け、このスプールの後方の、把持部の内側に電動モータと電池を設け、前記スプールのフランジ側面に、電動モータの出力軸の周面が摺接してスプールを回転させる電動リール付き釣り竿において、前記電動モータの出力軸が摺接するスプールのフランジ側面を粗面化加工面としたことを特徴とする電動リール付き釣り竿。
【請求項２】
フランジ側面の粗面化加工面がサンドブラスト加工により形成されていることを特徴とする請求項１記載の電動リール付き釣り竿。
【請求項３】
把持部が桐で形成され、釣り竿全体の比重が１以下で水に浮くようにしたことを特徴とする請求項１記載の電動リール付き釣り竿。  
【請求項４】
把持部に取付けた軸にスプールを回転自在に、且つ軸方向にスプリングの弾性により可動自在に支持し、このスプールのフランジ側面に当接して前記軸に可動自在にボスを取付け、このボスに近接して、レバーの片側にブレード状の傾斜面を形成したクラッチを把持部に回動自在に取付けて構成され、前記クラッチを回動させて傾斜面をボスの側面に挿脱することにより、ボスを介してスプールを軸方向に移動させてフランジ側面から電動モータの出力軸が接離するようにしたことを特徴とする請求項１記載の電動リール付き釣り竿。
【考案の詳細な説明】
【技術分野】
【０００１】
本考案は、ワカサギ釣り等の小魚釣りに使用する電動リール付き釣り竿に関するものである。
【背景技術】
【０００２】
一般にワカサギ釣りを行なう場合には、比較的短い釣り竿が使用されている。この釣り竿には釣り糸をスプールに手動で巻き上げるものと、スプールを電動モータで回転させて自動で巻き上げるものとがある。
【０００３】
従来の電動リール付き釣り竿としては電動モータの回転を、ギアを介してスプールに伝達して、釣り糸を巻き上げる構造のものがある。しかしながらこのギア式の構造の釣り竿は、ギアのかみ合う音がうるさく、また構造が複雑で部品点数も多くなる問題があった。またギアを用いずに、電動モータの回転を直接、スプールに伝達する構造のものもある（特許文献１）。
【０００４】
これは例えば電動モータを上下に回動自在に取付け、スイッチをスライドさせることにより、電動モータを傾斜させてその出力軸がスプールのフランジから離れることによりクラッチを切って、スプールを自由回転させて釣り糸を繰り出し、スイッチを戻すことにより電動モータが水平になってその出力軸とスプールのフランジが接触することによりクラッチが入って電動モータによりスプールを回転させて釣り糸を巻き上げるようにした構造のものである。
【０００５】
しかしながらこの構造は、精密な電気部品である電動モータを、スライドスイッチで上下に回動させてクラッチ動作させるので、故障し易い問題があった。また電動モータの出力軸とスプールのフランジが摺接してスプールを回転させるので、接触面が水に濡れたり、潤滑油が付着したりすると、出力軸とスプールのフランジが滑って巻き上げができなくなる問題もあった。更に従来の電動リール付き釣り竿は、把持部がアルミニウムなどの金属で形成されているため、比重が重く、水中に落とした時に沈んでしまう問題もあった。
【特許文献１】実用新案登録第３１２５３００号
【考案の開示】
【考案が解決しようとする課題】
【０００６】
本考案は上記問題を改善し、水に濡れたり、潤滑油が付着した場合にも滑りが少なく確実に巻き上げることができると共に、モータの耐久性に優れ、しかも比重が軽く水中に落としても沈まず水面に浮くことができる電動リール付き釣り竿を提供するものである。
【課題を解決するための手段】
【０００７】
本考案の請求項１記載の電動リール付き釣り竿は、把持部の先端に穂先の取付部を形成すると共に、把持部の先端側にスプールを設け、このスプールの後方の、把持部の内側に電動モータと電池を設け、前記スプールのフランジ側面に、電動モータの出力軸の周面が摺接してスプールを回転させる電動リール付き釣り竿において、前記電動モータの出力軸が摺接するスプールのフランジ側面を粗面化加工面としたことを特徴とするものである。
【０００８】
本考案の請求項２記載の電動リール付き釣り竿は、請求項１において、フランジ側面の粗面化加工面が、サンドブラスト加工により形成されていることを特徴とするものである。
【０００９】
本考案の請求項３記載の電動リール付き釣り竿は、請求項１において、把持部が桐で形成され、釣り竿全体の比重が１以下で水に浮くようにしたことを特徴とするものである。
【００１０】
本考案の請求項４記載の電動リール付き釣り竿は、請求項１において、把持部に取付けた軸にスプールを回転自在に、且つ軸方向にスプリングの弾性により可動自在に支持し、このスプールのフランジ側面に当接して前記軸に可動自在にボスを取付け、このボスに近接して、レバーの片側にブレード状の傾斜面を形成したクラッチを把持部に回動自在に取付けて構成され、前記クラッチを回動させて傾斜面をボスの側面に挿脱することにより、ボスを介してスプールを軸方向に移動させてフランジ側面から電動モータの出力軸が接離するようにしたことを特徴とするものである。
【考案の効果】
【００１１】
本考案に係る請求項１記載の電動リール付き釣り竿によれば、スプールのフランジ側面は粗面化加工面が形成されているので、この面が水に濡れていたり、潤滑油が付着していても、電動モータの出力軸が滑りにくく釣り糸を確実に巻き上げ、魚を速やかに釣り上げることができる。
【００１２】
また請求項２記載の電動リール付き釣り竿によれば、スプールのフランジ側面はサンドブラスト加工により粗面化加工面が形成されているので、加工が容易で量産性に優れている。
【００１３】
また請求項３記載の電動リール付き釣り竿によれば、釣り竿全体の比重が１以下に形成されているので、水中に落としても沈まず水面に浮くことができる。
【００１４】
また請求項４記載の電動リール付き釣り竿によれば、レバーの片側中間部に形成されたブレード状の傾斜面が食い込んで、レバーの側面でボスの側面をスプール側に押圧してクラッチを切った状態にすると、ボスとスプールは軸方向に移動して、スプールはフリーの回転状態となって釣り糸が繰り出される。レバーを回動させるとブレード状の傾斜面が外れてクラッチが入り、スプリングの弾性によりスプールとボスが軸に沿って移動し、スプールのフランジ側面が、電動モータの出力軸に当接する。魚が掛かったらモータスイッチをオンにすると電動モータが回転し、クラッチが入ったままなので、出力軸が回転し、これと当接するスプールのフランジ側面も回転し、釣り糸が自動的に巻き上げられる。
【考案を実施するための最良の形態】
【００１５】
以下本考案の実施の一形態を図１ないし図５を参照して詳細に説明する。図１および図２は電動リール付き釣り竿を示すもので、１は桐材で中空角円筒状に形成された把持部で、この両端側がやや細く形成されている。把持部１の先端には穂先２が着脱可能に取付けられるようになっている。また把持部１の先端側には上部が側面半円形状に切欠され、ここにスプール３が設けられ、このスプール３の後方には電動モータ４を収納するモータ収納部５が形成され、上部がカバー６で塞がれている。またこのモータ収納部５の後方には電池７を収納する電池収納部８が形成され、この上部に着脱自在にカバー９が取付けられ、モータ収納部５と電池収納部８はほぼ密閉された空間となっている。
【００１６】
前記スプール３は、図３に示すように把持部１の側壁に軸１０で回転自在に支持されている。更にこの軸１０が貫通する取付板１２が把持部１の側壁の内側に固定されている。また前記軸１０はボス１３を介してスプール３の貫通孔１５を貫通し、ボス１３とスプール３は軸方向に沿って可動自在に支持されている。スプール３の貫通孔１５の両側にはベアリング１６、１６が取付けられ、ここに軸１０が貫通してスプール３が回転自在に支持されている。また軸１０にはＣリング１７が取付けられ、これと取付板１２側のベアリング１６との間の軸１０にはコイルスプリング１８が取付けられ、スプール３とボス１３をコイルスプリング１８の弾性により取付板１２側に押付けている。
【００１７】
また取付板１２にはクラッチ２０が取付けられている。このクラッチ２０は図５に示すように、軸２２に回動自在に支持されたレバー２１の片側中間部にブレード状の傾斜面２３を形成したもので、この傾斜面２３がボス１３に近接して取付けられている。
【００１８】
また前記スプール３のボス１３側のフランジ側面２５は図３に示すように、サンドブラスト加工により粗面化加工面２６が形成されている。この粗面化加工面２６に近接して電動モータ４の出力軸２７に取付けたチューブ２８の周面が接離自在に設けられている。
【００１９】
また把持部１は桐材で形成されていると共に、モータ収納部５と電池収納部８がほぼ密閉された空間となっているので釣り竿全体の比重が１以下に形成されている。なお３０は把持部１の側面に設けたモータスイッチ、また図１において３１は把持部１の先端側に設けられた巻き上げストッパーとなるリミットスイッチ、３２は釣り糸、３３は釣り糸ガイドリングである。
【００２０】
上記構成の電動リール付き釣り竿を使用して釣りを行なう場合、先ずスプール３に巻き付けられている釣り糸３２を、釣り糸２２やこの先端に取付けた図示しない重りの自重により繰り出す。この場合、図３に示すようにクラッチ２０は切ってオフの状態で開放され、レバー２１の片側中間部に形成されたブレード状の傾斜面２３が図５（Ｂ）に示すように、取付板１２とボス１３との間に食い込んでから取付板１２の側面で、ボス１３をスプール３側に押圧している。ボス１３はスプール３に当接し、更にこのスプール３は軸１０に固定したＣリング１７に端部が支持されたコイルスプリング１８を押し縮めてボス１３と共に軸方向に移動して、スプール３はベアリング１６、１６によりフリーの回転状態となっている。
【００２１】
釣り糸２２の先端が所定の水深近くまで達したら、レバー２１を前方に回動させてクラッチ２０を入れると、図４および図５（Ａ）に示すように取付板１２とボス１３との間に食い込んでいたレバー２１が外れ、コイルスプリング１８の弾性によりスプール３とボス１３が軸１０に沿って移動し、ボス１３が取付板１２に当接する。この結果、スプール３のボス１３側のフランジ側面２５が、電動モータ４の出力軸２７に取付けたチューブ２８に当接すると、電動モータ４は電源が入っていないので、ブレーキが掛かった状態となってスプール３の回転が停止する。
【００２２】
この状態で釣り竿を保持し、魚が掛かったらモータスイッチ３０をオンにすると電動モータ４が回転し、クラッチ２０が入ったままなので、出力軸２７に取付けたチューブ２８が回転し、これと当接するボス１３側のフランジ側面２５も回転し、釣り糸３２が巻き上げられる。このフランジ側面２５はサンドブラスト加工により粗面化加工面２６が形成されているので、この面が水に濡れていたり、潤滑油が付着していても、滑りにくく釣り糸３２を確実に巻き上げ、魚を速やかに釣り上げることができる。
【００２３】
また把持部１は桐材で形成され、モータ収納部５と電池収納部８がほぼ密閉された空間となっているので釣り竿全体の比重が１以下となり、水中に落としても沈まず水面に浮くことができる。またスプール３はクラッチ２０により軸１０に沿って左右に移動するだけで電動モータ４は移動しないので耐久性に優れている。
【００２４】
なお上記説明ではスプール３のフランジ側面２５に形成した粗面化加工面２６をサンドブラスト加工して形成した場合について示したが、クロス模様の細かい凹凸部を機械加工により形成したものなど、粗面化した加工面であれば何れの加工方法でも良い。また把持部１を桐材で形成したものは最も軽く優れているが、他の木材で形成したものや、プラスチックで形成したものでも良い。また桐材の表面を漆で塗って民芸調に仕上げても良い。なおスプール３とクラッチ２０を水平に配置した構造でも良い。
【図面の簡単な説明】
【００２５】
【図１】本考案の実施の一形態による電動リール付き釣り竿の側面図である。
【図２】図１の電動リール付き釣り竿を示す平面図である。
【図３】クラッチが切れている状態を示す水平断面図である。
【図４】クラッチが入っている状態を示す水平断面図である。
【図５】（Ａ）はクラッチが入っている状態を示す斜視図、（Ｂ）はクラッチが切れている状態を示す斜視図である。
【符号の説明】
【００２６】
１    把持部                                                
２    穂先                                                  
３    スプール                                              
４    電動モータ                                            
５    モータ収納部                                          
６    カバー                                                
７    電池                                                  
８    電池収納部                                            
９    カバー                                                
１０  軸                                                    
１２  取付板                                                
１３  ボス                                                  
１５  貫通孔                                                
１６  ベアリング                                            
１７  Ｃリング                                              
１８  コイルスプリング                                      
２０  クラッチ                                              
２１  レバー                                                
２２  軸                                                    
２３  ブレード状の傾斜面
２５  フランジ側面  
２６  粗面化加工面  
２７  出力軸        
２８  チューブ        
３０  モータスイッチ    
３１  リミットスイッチ
３２  釣り糸
３３  釣り糸ガイドリング  
【図１】
0003142158.tif 000003
【図２】
0003142158.tif 000004
【図３】
0003142158.tif 000005
【図４】
0003142158.tif 000006
【図５】
0003142158.tif 000007